(57)【要約】【課題】ミラーの光学ベースへの固定方法が、ミラー受け面の２カ所のうち環境信頼性向上のため１カ所しか接着されていない。【解決手段】光学ベースのディスク側と反対面となる前記光学ベース底面４ｆと、前記光学ベース底面４ｆとミラー装着時に前記光学ベース底面４ｆと略々平行となるようにカットされた前記ミラーカット面２ａが、前記光学ベース底面４ｆとほぼ同一面になるように接着される。前記ミラーカット面２ａと前記光学ベース底面４ｆとを２カ所以上接着剤５を塗布したことにより、ミラー２と光学ベース４との接着強度が得られ、サーボ特性の安定化が得られるという光ピックアップ装置を実現する。【選択図】図５
2005302228.tif 000002
【特許請求の範囲】
【請求項１】
ディスク面の記録トラック上に光スポットを照射する対物レンズをその光軸方向とトラッキング方向とに２次元的に駆動する対物レンズ駆動手段と、レーザー発光素子と、前記レーザー発光素子から発光されるレーザー光をディスク面に立ち上げるミラーと、ディスク面に反射されたレーザー光を受光する受光素子とが、光学ベースに固着された光ピックアップ装置であって、
前記ミラーの前記光学ベースへの装着状態で、前記光学ベースのディスク側と反対面となる光学ベース底面と略々平行となるようにカットされたミラーのカット面が、前記光学ベース底面と略同一面であり、前記ミラーカット面と前記光学ベース底面とを少なくとも１カ所で接着したことを特徴とする光ピックアップ装置。
【請求項２】
ディスク面の記録トラック上に光スポットを照射する対物レンズをその光軸方向とトラッキング方向とに２次元的に駆動する対物レンズ駆動手段と、レーザー発光素子と、前記レーザー発光素子から発光されるレーザー光をディスク面に立ち上げるミラーと、ディスク面に反射されたレーザー光を受光する受光素子とが、光学ベースに固着された光ピックアップ装置であって、
前記ミラーの前記光学ベースへの装着状態で、前記光学ベースのディスク側と反対面となる光学ベース底面と略々平行となるようにカットされたミラーのカット面とほぼ同一面となるように、前記ミラーカット面近傍の光学ベース底面に凹面を設けて、前記ミラーカット面と前記光学ベース凹面とを少なくとも１カ所で接着したことを特徴とする光ピックアップ装置。
【発明の詳細な説明】
【技術分野】
【０００１】
本発明は、ディスク状記録媒体に光スポットを投影して光学的に情報を再生ま
たは記録する装置における、光ピックアップ装置に関する。
【背景技術】
【０００２】
図１０は光ピックアップ装置の構成分解斜視図を示すものである。ディスク面の記録トラック上に光スポットを照射する対物レンズを、その光軸方向（フォーカス方向）と光軸と直交する方向（トラッキング方向）に２次元的に駆動する対物レンズ駆動手段２１と、レーザーの発光素子と受光素子が一体となったレーザー発光受光ユニット２３が、所定の光学特性が得られるように調整された後、光学ベース２４に固着されている。発光素子からのレーザー光をディスク面に立ち上げるミラー２２は、反射面２２ｄの反対面２２ｃを光学ベース２４に間隔をもって設けられたミラー受け面２４ａ、２４ｂと、また、反射面２２ｄに垂直な面２２ｅを受ける光学ベース２４に設けられたミラー位置決め面２４ｅとで位置決めされ、前記ミラー受け面２４ａの一方のみに接着剤が塗布され、ミラー２２が接着固定されている。
【０００３】
このミラー２２は、光ピックアップの薄型化のため、光学ベース２４に装着された時に、光学ベース２４のディスク側と反対面となる光学ベース底面２４ｆから飛び出さないように、光学ベース底面２４ｆに対して、略々平行になるようにカットされている。また、光学ベース２４のミラーカット面２２ａ付近の光学ベース底面形状は、光ピックアップ装置の薄型化のため、切り欠かれ孔２４ｃが開いている。ミラー２２が、ミラー受け面２４ａの一方のみで接着固定しているのは、環境変化での接着剤２５によるミラー２２の歪みを小さくするためである。
【発明の開示】
【発明が解決しようとする課題】
【０００４】
この光ピックアップ装置の動作において、光路立上げミラーの振動により、反射されるレーザー光が微小にシフトされ、光ピックアップにサーボ特性において、特定の周波数で不要共振が発生するという問題が発生する。以下にそのメカニズムについて説明する。
【０００５】
ミラー２２自体の固定は、反射面の反対面にて、全面ではなく、間隔をおいて設けられた２つの受け面２４ａ及び２４ｂのうちの片側（２４ａ）で接着固定されており、片持ち支持の状態となっている。また、光学ベース２４のミラー受け部付近については、光ピックアップの薄型化により、光学ベース底面部の厚みが全体的に薄く設定されているのに加え、光学ベース底面に対して略々平行になるようにカットされたミラーカット面付近の光学ベース底面形状は、切り欠かれており、強度的に弱いものとなっている。このような条件のもと、対物レンズ駆動手段２１が動作し、ここで生じた振動が光学ベース２４に伝わり、薄い光学ベース底面と光学ベース底面の切り欠きにより、振動が減衰することなくミラー受け部付近に振動が伝わる。更に、ミラーの固定が片持ち状態となっているため、伝わってきた振動を増幅するように振動することとなる。このため、ミラーで反射しているレーザー光の光軸がシフト（振動）し、レーザー光を受光し得られるサーボ信号に不要共振が発生し、安定したサーボ状態が得られず、光ピックアップの動作不良が発生するという致命的な問題が発生する。
【０００６】
図６は、光ピックアップのサーボ特性を示すボード線図であり、カーブ７は、ゲインカーブを示し、カーブ８は、位相カーブを示す。ゲインカーブがゲイン交点付近でピークを持つことにより、ゲイン調整が狂い、また、位相カーブがピークを持ち、そのピークがマイナスになることにより発振が起こり、これにより、安定したサーボ状態が得られない。
【０００７】
本発明は、ミラーの光学ベースへの接着固定において、ミラーで反射しているレーザー光の光軸がシフト（振動）し、レーザー光を受光し得られるサーボ信号に不要共振が発生しない、安定したサーボ状態が得られるという目的となされたものである。
【課題を解決するための手段】
【０００８】
この課題を解決するために本発明は、ディスク面の記録トラック上に光スポットを照射する対物レンズを、その光軸方向（フォーカス方向）と光軸と直交する方向（トラッキング方向）に２次元的に駆動する対物レンズ駆動手段と、レーザー発光素子と、前記発光素子からのレーザー光をディスク面に立ち上げるミラーと、ディスク面に反射されたレーザー光を受光する受光素子とが、光学ベースに固着された光ピックアップ装置において、前記ミラーの光学ベースへの装着状態で、前記光学ベースのディスク側と反対面となる光学ベース底面と略々平行となるようにカットされたミラーのカット面が、前記光学ベース底面とほぼ同一面であり、前記ミラーカット面と前記光学ベース底面とをブリッジするように少なくとも１カ所以上に接着剤を塗布することにより、光ピックアップ装置の薄型化によりミラー受け部に開けられた切り欠かれ孔がミラーと一体となって強度不足が補強され、ミラーの光学ベースへの１点接着固定による片支持状態がなくなり、対物レンズ駆動手段の振動が、ミラーに伝わらなくなるように構成したものである。
【０００９】
これによりミラーの不要共振の発生しない、安定したサーボ特性の光ピックアップ装置が得られる。
【発明の効果】
【００１０】
以上のように本発明によれば、光学ベースのディスク側と反対面となる光学ベース底面と、光学ベース底面とミラー装着時に光学ベース底面と平行となるようにカットされたミラーカット面が、光学ベース底面とほぼ同一面になるミラーカット面と光学ベース底面とを少なくとも１カ所以上接着剤をブリッジ状に塗布したことにより、対物レンズ駆動手段の振動がミラーに伝わらなくなり、サーボ特性の改善が得られるとともに、ミラーカット面と光学ベース底面近傍との接着により、ミラーの片支持状態がなくなり光学ベースの切り欠かれ孔によるミラー受け部の強度不足が補強されるという有利な効果が得られる。次に、光学ベース底面に凹形状を設けてミラーカット面に接着剤を塗布することにより、光学ベース底面からの接着剤の飛び出しが少なくすみ、接着剤の外れ防止やミラー受け部の強度アップを兼ねた光ピックアップ装置のサーボ特性の安定化が実現できるという有利な効果が得られた。
【発明を実施するための最良の形態】
【００１１】
本発明の請求項１に記載の発明は、ディスク面の記録トラック上に光スポットを照射する対物レンズを、その光軸方向（フォーカス方向）と光軸と直交する方向（トラッキング方向）に２次元的に駆動する対物レンズ駆動手段と、レーザー発光素子と、前記発光素子からのレーザー光をディスク面に立ち上げるミラーと、ディスク面に反射されたレーザー光を受光する受光素子とが、光学ベースに固着された光ピックアップ装置において、前記ミラーの光学ベースへの装着状態で、前記光学ベースのディスク側と反対面となる光学ベース底面と略々平行となるようにカットされたミラーのカット面が、前記光学ベース底面とほぼ同一面であり、前記ミラーカット面と前記光学ベース底面とをブリッジするように少なくとも１カ所以上に接着剤を塗布したことにより、光ピックアップ装置の薄型化によりミラー受け部に開けられた切り欠かれ孔が、ミラーと一体となって強度不足が補強され、ミラーの光学ベースへの１点接着固定による片支持状態がなくなり、対物レンズ駆動手段の振動がミラーに伝わらなくなるという作用を有する。
【００１２】
請求項２に記載の発明は、ディスク面の記録トラック上に光スポットを照射する対物レンズを、その光軸方向（フォーカス方向）と光軸と直交する方向（トラッキング方向）に２次元的に駆動する対物レンズ駆動手段と、レーザー発光素子と、前記発光素子からのレーザー光をディスク面に立ち上げるミラーと、ディスク面に反射されたレーザー光を受光する受光素子とが、光学ベースに固着された光ピックアップ装置において、前記ミラーの光学ベースへの装着状態で、前記光学ベースのディスク側と反対面となる光学ベース底面と略々平行となるようにカットされたミラーのカット面とほぼ同一面となるように、前記ミラーカット面近傍の光学ベース底面に凹面を設けて、前記ミラーカット面と前記光学ベース凹面とをブリッジするように少なくとも１カ所以上に接着剤を塗布したことにより、ミラーの振動がなくなり光ピックアップ装置が発振しなくなるとともに、ミラーと光学ベースとの接着強度が得られる作用と、光学ベース底面からの接着剤の飛び出し量が少なくすみ、接着剤による厚みの制限を受けることなく、光ピックアップ装置の薄型化が実現できるという作用を有する。
【００１３】
以下、本発明の実施の形態について、図面を用いて説明する。
【００１４】
（実施の形態１）
図１は本発明の実施の形態による光ピックアップ装置を示す構成分解斜視図である。１はディスク面の記録トラック上に光スポットを照射する対物レンズを、その光軸方向（フォーカス方向）と光軸と直交する方向（トラッキング方向）に２次元的に駆動する対物レンズ駆動手段、３はレーザー光を発光するレーザー発光素子とレーザー光を受光する受光素子とから構成されるレーザー発光受光ユニット、２はレーザー発光受光ユニット３の発光素子からのレーザー光をディスク面に立ち上げるミラーである。上記構成が、所定の光学特性を得られるように対物レンズ駆動手段１とレーザーの発光素子と受光素子が１つになったレーザーユニット３が調整後、光学ベース４に固着されている。
【００１５】
ミラー２は、光学ベース４に設けられたミラー受け面４ａ、４ｂで反射面の反対面２ｃ及び光学ベース４に設けられたミラー受け面４ｅで位置決めされ、前記ミラー受け面４ａ、４ｂのいずれか一方に接着固定されている。このミラー２は光ピックアップの薄型化のため、光学ベース４に装着された時に、光学ベース４のディスク側と反対面となる光学ベース底面４ｄに略々平行になるようにカットされている。また、光学ベース４のミラー装着部の底部に光ピックアップ装置の薄型化のため、切り欠かれ孔４ｃが開いている。
【００１６】
図２は、ミラー２と光学ベース４の装着を示す拡大斜視図であり、図４は、光学ベース底面４ｆから見たミラー２の装着を示す拡大斜視図である。光学ベース４のディスク側と反対面となる前記光学ベース底面４ｆと、前記光学ベース底面４ｆとミラー装着時に前記光学ベース底面４ｆと略々平行となるようにカットされた前記ミラーカット面２ａが、前記光学ベース底面４ｆとほぼ同一面になるように接着される。前記ミラーカット面２ａと前記光学ベース底面４ｆとを２カ所以上接着剤５を塗布したことにより、ミラー２と光学ベース４との接着強度が得られるという作用を有する。
【００１７】
図７は、ミラー２の接着剤５の塗布により本発明の実施の形態でのサーボ特性である。ゲインカーブ７と、位相カーブ８を示し、点線で示すようなピーク９が立っておらず、光ピックアップ装置の共振がなくなっている。このように、ミラー２の振動がなくなったためにゲイン乱れ、発振の発生等のない安定したサーボ特性が得られるという作用を有する。
【００１８】
以上のように本実施の形態によれば、光学ベース４のディスク側と反対面となる光学ベース底面４ｆと、ミラー２を光学ベース４に装着した時に光学ベース底面４ｆと平行となるようにミラー２においてカットされたミラーカット面２ａとを有し、ほぼ同一面になるミラーカット面２ａと光学ベース底面４ｆとを、少なくとも１カ所以上接着剤をブリッジ状に塗布したことにより、対物レンズ駆動手段１の振動がミラー２に伝わらなくなり、サーボ特性の改善が得られるとともに、ミラーカット面２ａと光学ベース底面４ｆ近傍との接着により、ミラー２の片支持状態がなくなり、光学ベース４の切り欠かれ孔によるミラー受け部の強度不足が補強されるという有利な効果が得られる。
【００１９】
なお、本実施の形態ではミラー２と光学ベース４との接着は、接着剤５をミラーカット面２ａと光学ベース底面４ｆとの間でブリッジ状になるように塗布して接着しているが、接着手段については接着剤以外のものを用いてもよい。またブリッジ状に限らず、他の形態で接着してもよい。
【００２０】
（実施の形態２）
実施の形態１と同じ箇所は説明を省略化し、その違う箇所についてのみ説明する。
【００２１】
図３は、ミラーと光学ベースのミラー装着を示す拡大斜視図であり、図５は、光学ベース底面から見たミラーの装着を示す拡大斜視図である。光学ベース底面４ｆに凹形状４ｄを設けて接着剤５を塗布することにより、光ピックアップ装置の取り扱い時の接着剤５の外れ防止のため、接着剤５の盛り上がりと光学ベース底面４ｆを一致させる前提のもと、ミラー受け部４ｃの強度アップを兼ねた光ピックアップ装置のサーボ特性の安定化が得られるという作用を有する。
【００２２】
以上のように本実施の形態によれば、光学ベース底面４ｆに凹形状を設けてミラーカット面２ａに接着剤５を塗布することにより、光学ベース底面４ｆからの接着剤５の飛び出しが少なくすみ、接着剤５の外れ防止やミラー受け部の強度アップを兼ねた光ピックアップ装置のサーボ特性の安定化が実現できるという有利な効果が得られた。
【産業上の利用可能性】
【００２３】
ディスク状記録媒体に光スポットを投影して光学的に情報を再生または記録する装置における光ピックアップ装置に利用することができる。
【図面の簡単な説明】
【００２４】
【図１】本発明の一実施の形態による光ピックアップ装置を示す構成分解斜視図
【図２】本発明の第１の実施の形態によるミラーと光学ベースのミラー装着を示す拡大斜視図
【図３】本発明の第２の実施の形態によるミラーと光学ベースのミラー装着を示す拡大斜視図
【図４】本発明の第１の実施の形態による光学ベース底面から見たミラーの装着を示す拡大斜視図
【図５】本発明の第２の実施の形態による光学ベース底面から見たミラーの装着を示す拡大斜視図
【図６】従来の光ピックアップ装置のサーボ特性を示す特性図
【図７】本発明の光ピックアップ装置のサーボ特性を示す特性図
【図８】光学ベース底面部を示す斜視図
【図９】ミラー取り付けを示す断面図
【図１０】光ピックアップ装置を示す構成分解斜視図
【符号の説明】
【００２５】
１    対物レンズ駆動手段
２    ミラー
２ａ    ミラーカット面
２ｂ    ミラー位置決め面
２ｃ    ミラー反射面の反対面
３    レーザー発光受光ユニット
４    光学ベース
４ａ    光学ベースのミラー受け面
４ｂ    光学ベースのミラー受け面
４ｃ    光学ベースのミラー受け部の孔
４ｄ    光学ベースのミラー受け部の凹形状
４ｅ    光学ベースのミラー位置決め面
４ｆ    光学ベース底面
５    接着剤
６    対物レンズ駆動手段とレーザーユニットに給電するフレキシブルプリント基板
７    ゲインカーブ
８    位相カーブ
９    ゲインカーブのピーク
【図１】
2005302228.tif 000003
【図２】
2005302228.tif 000004
【図３】
2005302228.tif 000005
【図４】
2005302228.tif 000006
【図５】
2005302228.tif 000007
【図６】
2005302228.tif 000008
【図７】
2005302228.tif 000009
【図８】
2005302228.tif 000010
【図９】
2005302228.tif 000011
【図１０】
2005302228.tif 000012